(57)【要約】【課題】一定以上の固定強度を有するともに、サイズの異なる複数種の拡張カードの取り付けに対応できる拡張カード実装構造体を提供する。【解決手段】スタッド誘導器具１２ｂおよび固定用金具１２ｃによって、基板１５上においてスタッド１２ａを固定用金具１２ｃを中心に回動可能に取り付け、位置決めピン１３Ａまたは１３Ｂによって固定用孔１０ａまたは固定用１０ｂと貫通孔１２０とホール１４Ａまたは１４Ｂが一致するようにスタッド１２ａを位置決めし、固定用金具１２ｃで位置固定することで、スタッド１２ａの配置をＭｉｎｉ  ＰＣＩ−ｅスロット１１に挿入されるＭｉｎｉ  ＰＣＩ−ｅカードのサイズに合わせて容易に変更できる。また、Ｍｉｎｉ  ＰＣＩ−ｅカードをスタッド１２ａを介してカード固定ネジ１２ｄで固定するため、基板にクランプして固定するスタッドに比べて一定以上の固定強度を容易に達成できる。【選択図】図２Ａ
2009116771.tif 000002
【特許請求の範囲】
【請求項１】
カードスロットを有する基板と、
前記基板に設けられた第１の固定孔と、
前記基板に設けられた第２の固定孔と、
前記基板上で、前記第１の固定孔と、前記第２の固定孔とから等距離の位置に設けられた固定金具と、
先端にスタッドを有し、前記固定金具を中心に回動可能に取り付けられ、前記固定金具を締め付けることで前記スタッドの位置を固定するスタッド誘導器具とを有することを特徴とする拡張カード実装構造体。
【請求項２】
前記スタッドは、前記スタッドが有する貫通孔と、前記第１の固定孔または前記第２の固定孔が一致するように固定ピンにより位置決めされることを特徴とする請求項１に記載の拡張カード実装構造体。
【請求項３】
カードスロットを有する基板と、
前記基板に設けられ、前記カードスロットの挿入方向に対して対称に設けられた２つの第１の固定孔と、
前記基板に設けられ、前記カードスロットの挿入方向に対して対称に設けられた２つの第２の固定孔と、
前記基板上で、前記２つの第１の固定孔と、前記２つの第２の固定孔とから等距離の位置に設けられた固定金具と、
先端にスタッドを有し、前記固定金具を中心に回動可能に取り付けられ、前記固定金具を締め付けることで前記スタッドの位置を固定するスタッド誘導器具と、
前記スタッドを前記第１の固定孔に位置決めする第１の位置決めピンと、
前記スタッドを前記第２の固定孔に位置決めする第２の位置決めピンとを有することを特徴とする拡張カード実装構造体。
【請求項４】
前記カードスロットは、拡張カードを挿入可能で、
前記スタッドは、前記拡張カードの固定用孔に合わせて、前記第１の位置決めピンまたは前記第２の位置決めピンにより位置決めされ、
前記第１の固定孔または前記第２の固定孔は、前記拡張カードの前記固定用孔および前記スタッドを介して、前記拡張カードを固定するためにカード固定ネジと螺合することを特徴とする請求項１または３に記載の拡張カード実装構造体。
【請求項５】
カードスロットを有する基板と、
前記基板に設けられた複数の固定孔と、
前記基板上で、前記複数の固定孔のそれぞれから等距離の位置に設けられた固定金具と、
先端にスタッドを有し、前記固定金具を中心に回動可能に取り付けられ、前記固定金具を締め付けることで前記スタッドの位置を固定するスタッド誘導器具とを有することを特徴とする拡張カード実装構造体。
【請求項６】
前記カードスロットは、拡張カードを挿入可能で、
前記スタッドは、前記拡張カードの固定用孔に合わせて、前記位置決めピンにより位置決めされ、
前記固定孔は、前記拡張カードの前記固定用孔および前記スタッドを介して、前記拡張カードを固定するためにカード固定ネジと螺合することを特徴とする請求項５に記載の拡張カード実装構造体。
【発明の詳細な説明】
【技術分野】
【０００１】
本発明は、拡張カード実装構造体に関する。
【背景技術】
【０００２】
従来の技術として、クランプ部を有するスタッドを用いて基板上に別基板を固定する拡張カード実装構造体がある（例えば、特許文献１参照）。
【０００３】
この拡張カード実装構造体は、取付孔を設けた基板と、同様に取付孔を設けた拡張カードと、取付孔の径より大きい径の中間部および中間部の両端に設けられた二股のクランプ部とを有するスタッドとを備え、クランプ部を取付孔に押し込むことで嵌合して固定できるように形成して、スタッドの両端のクランプ部をそれぞれ基板と拡張カードの取付孔に嵌合して固定するため、ネジによってスタッドを固定する必要なく、基板に対する拡張カードの実装を容易にでき、組み立て工程の作業効率が向上する。また、基板に複数の取付孔を設けることで、サイズの異なる複数種の拡張カードの取り付けに容易に対応することができる。
【特許文献１】特開平７−２４５４５９号公報
【発明の開示】
【発明が解決しようとする課題】
【０００４】
しかし、従来の拡張カード実装構造体によると、スタッドのクランプ部の嵌合強度を向上させるためには、クランプ部と取付孔同士の嵌合時の取り付けに精度要するという問題がある。
【０００５】
従って、本発明の目的は、一定以上の固定強度を有するとともに、サイズの異なる複数種の拡張カードの取り付けに対応できる拡張カード実装構造体を提供することにある。
【課題を解決するための手段】
【０００６】
（１）本発明は、上記目的を達成するため、カードスロットを有する基板と、前記基板に設けられた第１の固定孔と、前記基板に設けられた第２の固定孔と、前記基板上で、前記第１の固定孔と、前記第２の固定孔とから等距離の位置に設けられた固定金具と、先端にスタッドを有し、前記固定金具を中心に回動可能に取り付けられ、前記固定金具を締め付けることで前記スタッドの位置を固定するスタッド誘導器具とを有することを特徴とする拡張カード実装構造体を提供する。
【０００７】
上記した構成によれば、基板は、位置の異なる固定孔を２つ有し、それら固定孔に対応してスタッド位置を変更できるため、固定用孔の位置が異なる２つの拡張カードの実装に対応できる。
【０００８】
（２）本発明は、上記目的を達成するため、カードスロットを有する基板と、前記基板に設けられ、前記カードスロットの挿入方向に対して対称に設けられた２つの第１の固定孔と、前記基板に設けられ、前記カードスロットの挿入方向に対して対称に設けられた２つの第２の固定孔と、前記基板上で、前記２つの第１の固定孔と、前記２つの第２の固定孔とから等距離の位置に設けられた固定金具と、先端にスタッドを有し、前記固定金具を中心に回動可能に取り付けられ、前記固定金具を締め付けることで前記スタッドの位置を固定するスタッド誘導器具と、前記スタッドを前記第１の固定孔に位置決めする第１の位置決めピンと、前記スタッドを前記第２の固定孔に位置決めする第２の位置決めピンとを有することを特徴とする拡張カード実装構造体を提供する。
【０００９】
上記した構成によれば、（１）の効果に加え、複数のスタッドを単一の固定金具で保持する構成にできるため、省略した固定金具の分だけ基板の実装面積が増加する。
【００１０】
（３）本発明は、上記目的を達成するため、カードスロットを有する基板と、前記基板に設けられた複数の固定孔と、前記基板上で、前記複数の固定孔のそれぞれから等距離の位置に設けられた固定金具と、先端にスタッドを有し、前記固定金具を中心に回動可能に取り付けられ、前記固定金具を締め付けることで前記スタッドの位置を固定するスタッド誘導器具とを有することを特徴とする拡張カード実装構造体を提供する。
【００１１】
上記した構成によれば、複数種の拡張カードの実装に対応できる。
【発明の効果】
【００１２】
本発明によれば、固定強度を保って、サイズの異なる複数種の拡張カードの取り付けに対応できる。
【発明を実施するための最良の形態】
【００１３】
以下に、本発明の情報処理装置としてのパーソナルコンピュータ（ＰＣ）の実施の形態を、図面を参照して詳細に説明する。
【００１４】
〔第１の実施の形態〕
（情報処理装置の構成）
図１は、本発明の第１の実施の形態に関するＰＣを示す斜視図である。
【００１５】
ＰＣ１は、上部筐体２と下部筐体３から構成され、ヒンジ部４により開閉自在に接続されている。上部筐体２は、文字や画像等を表示する表示部２ａを有し、下部筐体３は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するためのキーボード３ａと、ポインティングデバイスとしてのトラックパッド３ｂおよび決定スイッチ３ｃとを有する。また、下部筐体３は、搭載することでＰＣ１の機能を拡張する拡張カードとしてのＭｉｎｉ  ＰＣＩ−ｅカード１０を有する。
【００１６】
図２Ａは、本発明の第１の実施の形態に関するＭｉｎｉ  ＰＣＩ−ｅカードの搭載状態を示す概略斜視図である。
【００１７】
ハーフサイズＭｉｎｉ  ＰＣＩ−ｅカード１０Ａは、端子１００を基板１５上に実装されたＭｉｎｉ  ＰＣＩ−ｅスロット１１に差し込まれ、カード固定ネジ１２ｄを固定用孔１０ａおよびスタッド１２ａを介して基板１５に設けられたホール１４Ａ（後述、第１の固定孔）に螺合して固定される。スタッド１２ａは、カード固定ネジ１２ｄを挿通可能な貫通孔１２０を有し、スタッド誘導器具１２ｂの先端に取り付けられており、スタッド誘導器具１２ｂは、固定用金具１２ｃにより基板１５の形成面に対して回動可能に取り付けられるとともに、固定用金具１２ｃを締め込むことで位置固定される。また、スタッド誘導器具１２ｂは、図２Ａに示す状態において、位置決めピン１３Ａ（第１の位置決めピン）に接している。この状態において、固定用孔１０ａ、貫通孔１２０およびホール１４Ａが一致する。
【００１８】
ハーフサイズＭｉｎｉ  ＰＣＩ−ｅカード１０Ａは、例えば、ＨＤ  ＤＶＤコーデックモジュールであり、長さ２６ｍｍ、幅３０ｍｍのサイズである。基板１５は、ハーフサイズＭｉｎｉ  ＰＣＩ−ｅカード１０Ａを固定するためのホール１４Ａ（第１の固定孔）に加え、後述するフルサイズＭｉｎｉ  ＰＣＩ−ｅカード１０Ｂ（図２Ｂ）を固定するためのホール１４Ｂ（第２の固定孔）を有し、ＣＰＵを実装するマザーボードに電気的に接続されている。
【００１９】
図２Ｂは、本発明の第１の実施の形態に関するＭｉｎｉ  ＰＣＩ−ｅカードの搭載状態を示す概略斜視図である。
【００２０】
フルサイズＭｉｎｉ  ＰＣＩ−ｅカード１０Ｂは、端子１００を基板１５上に実装されたＭｉｎｉ  ＰＣＩ−ｅスロット１１に差し込まれ、カード固定ネジ１２ｄを固定用孔１０ｂおよびスタッド１２ａを介して基板１５に設けられたホール１４Ｂに螺合することで固定される。スタッド誘導器具１２ｂは、図２Ｂに示す状態において、位置決めピン１３Ｂ（第２の位置決めピン）に接して固定用金具１２ｃにより固定される。この状態において、固定用孔１０ｂ、貫通孔１２０およびホール１４Ｂが一致する。
【００２１】
フルサイズＭｉｎｉ  ＰＣＩ−ｅカード１０Ｂは、例えば、Ｒｏｂｓｏｎモジュールであり、長さ５１ｍｍ、幅３０ｍｍのサイズである。基板１５は、図２ＡにおけるハーフサイズＭｉｎｉ  ＰＣＩ−ｅカード１０Ａを固定するためのホール１４Ａ（第１の固定孔）を有する。
【００２２】
図３（ａ）および（ｂ）は、本発明の第１の実施の形態に関する基板の構成を示す概略図である。図３（ａ）は、平面図であり、図３（ｂ）は、側面図である。
【００２３】
図３（ａ）および（ｂ）は、ハーフサイズＭｉｎｉ  ＰＣＩ−ｅカード１０Ａ搭載時のスタッド１２ａの固定位置を示す。スタッド１２ａは、その高さを、固定用金具１２ｃおよび位置決めピン１３Ａ、１３Ｂより高く、Ｍｉｎｉ  ＰＣＩ−ｅスロット１１の高さに合わせて決定する。位置決めピン１３Ａ、１３Ｂは、スタッド誘導器具１２ｂまたはスタッド１２ａに接してスタッド１２ａの固定位置を決定する。位置決めピン１３Ａを設置する位置は、スタッド１２ａに近いほど精度よくスタッド１２ａを位置決めできる。
【００２４】
（実装方法）
以下に、本発明の第１の実施の形態におけるＭｉｎｉ  ＰＣＩ−ｅカードの実装方法を各図を参照しつつ説明する。
【００２５】
まず、Ｍｉｎｉ  ＰＣＩ−ｅスロット１１に、ハーフサイズＭｉｎｉ  ＰＣＩ−ｅカード１０Ａを挿入する場合、挿入前にスタッド誘導器具１２ｂを固定している固定用金具１２ｃを緩めて、スタッド誘導器具１２ｂが位置決めピン１３Ａに接する位置にスタッド１２ａを移動する。これにより、スタッド１２ａの貫通孔１２０がホール１４Ａ上に位置決めされる。スタッド１２ａが位置決めされた後、固定用金具１２ｃを締めてスタッド誘導器具１２ｂおよびスタッド１２ａの位置を固定する。次に、ハーフサイズＭｉｎｉ  ＰＣＩ−ｅカード１０ＡをＭｉｎｉ  ＰＣＩ−ｅスロット１１に挿入し、カード固定ネジ１２ｄを固定用孔１０ａおよびスタッド１２ａの貫通孔１２０を介してホール１４Ａに螺合させ、ハーフサイズＭｉｎｉ  ＰＣＩ−ｅカード１０Ａを固定することでハーフサイズＭｉｎｉ  ＰＣＩ−ｅカード１０Ａの装着を完了する。
【００２６】
また、Ｍｉｎｉ  ＰＣＩ−ｅスロット１１に、フルサイズＭｉｎｉ  ＰＣＩ−ｅカード１０Ｂを挿入する場合、挿入前にスタッド誘導器具１２ｂを固定している固定用金具１２ｃを緩めて、スタッド誘導器具１２ｂが位置決めピン１３Ｂに接する位置にスタッド１２ａを移動する。これにより、スタッド１２ａがホール１４Ｂ上に位置決めされる。スタッド１２ａが位置決めされた後、固定用金具１２ｃを締めてスタッド誘導器具１２ｂおよびスタッド１２ａの位置を固定する。次に、フルサイズＭｉｎｉ  ＰＣＩ−ｅカード１０ＢをＭｉｎｉ  ＰＣＩ−ｅスロット１１に挿入し、カード固定ネジ１２ｄを固定用孔１０ａおよびスタッド１２ａの貫通孔１２０を介してホール１４Ｂに螺合させ、フルサイズＭｉｎｉ  ＰＣＩ−ｅカード１０Ｂを固定することでフルサイズＭｉｎｉ  ＰＣＩ−ｅカード１０Ｂの装着を完了する。
【００２７】
（第１の実施の形態の効果）
上記した第１の実施の形態によると、スタッド誘導器具１２ｂおよび固定用金具１２ｃによって、基板１５上においてスタッド１２ａを固定用金具１２ｃを中心に回動可能に取り付け、位置決めピン１３Ａまたは１３Ｂによって固定用孔１０ａまたは固定用１０ｂと貫通孔１２０とホール１４Ａまたは１４Ｂが一致するようにスタッド１２ａを位置決めし、固定用金具１２ｃで位置固定することで、スタッド１２ａの配置をＭｉｎｉ  ＰＣＩ−ｅスロット１１に挿入されるＭｉｎｉ  ＰＣＩ−ｅカードのサイズ、フルサイズまたはハーフサイズ、に合わせて容易に変更できる。また、Ｍｉｎｉ  ＰＣＩ−ｅカードをスタッド１２ａを介してカード固定ネジ１２ｄで固定するため、基板にクランプして固定するスタッドに比べて一定以上の固定強度を容易に達成できる。
【００２８】
また、従来はんだによりスタッドをホール上に固定していた工程を省略することができるため、生産効率が増加する。
【００２９】
なお、スロットおよびカードはＭｉｎｉ  ＰＣＩ−ｅ規格のものに限らず、任意の規格のスロットおよびカードを用いることができる。また、拡張カードの固定方法は、別部材で嵌合させたり、係合させたりする等、ネジ固定以外の方法でもよい。
【００３０】
なお、基板１５に実装する拡張カードのサイズは２種類に限定されず、複数種のサイズに対応させてもよい。例えば、本実施の形態においては、拡張カード長手方向に２種類のサイズを想定したが、スタッド１２ａをホール１４Ａおよび１４Ｂに対して中間の位置に固定することで短手方向に広いサイズを有する拡張カードの取り付けに対応することができる。
【００３１】
〔第２の実施の形態〕
（構  成）
図４Ａは、本発明の第２の実施の形態に関するＭｉｎｉ  ＰＣＩ−ｅカードの搭載状態を示す概略斜視図である。なお、以下の説明において、第１の実施の形態と同一の構成および機能を有する部分については共通の符号を付している。
【００３２】
２つのスタッド１２ａは、それぞれがスタッド誘導器具１２ｂの先端に取り付けられており、２つのスタッド誘導器具１２ｂは、ホール１４Ａおよび１４Ｂすべてから等距離の位置に１つの固定用金具１２ｃにより、基板１５の形成面に対して回動可能に取り付けられる。２つのスタッド誘導器具１２ｂは、上下に重ねられて固定用金具１２ｃにより固定される。また、固定用金具１２ｃを締め込むことでスタッド１２ａの位置を固定する。また、スタッド誘導器具１２ｂは、図２Ａに示す状態において、位置決めピン１３Ａに接している。
【００３３】
図４Ｂは、本発明の第２の実施の形態に関するＭｉｎｉ  ＰＣＩ−ｅカードの搭載状態を示す概略斜視図である。
【００３４】
スタッド誘導器具１２ｂは、図２Ｂに示す状態において、位置決めピン１３Ｂに接して固定用金具１２ｃにより固定されている。
【００３５】
図５（ａ）および（ｂ）は、本発明の第２の実施の形態に関する基板１５の構成を示す概略図である。図５（ａ）は、平面図であり、図５（ｂ）は、側面図である。
【００３６】
図５（ａ）および（ｂ）は、ハーフサイズＭｉｎｉ  ＰＣＩ−ｅカード１０Ａ搭載時のスタッド１２ａの固定位置を示す。２つのスタッド１２ａは、その高さが同一であるが、２つのスタッド誘導器具１２ｂは、少なくとも固定用金具１２ｃに接する軸受部において、それぞれが別の高さで重なるようになっている。
【００３７】
（第２の実施の形態の効果）
第２の実施の形態によると、第１の実施の形態の効果に加え、２つのスタッドに対して固定用金具１２ｃを一つ用意すればよいため、省略した固定用金具１２ｃの分だけ他の部品の基板１５に対する実装領域を拡大できる。
【図面の簡単な説明】
【００３８】
【図１】本発明の第１の実施の形態に関するＰＣを示す斜視図である。
【図２Ａ】本発明の第１の実施の形態に関するＭｉｎｉ  ＰＣＩ−ｅカードの搭載状態を示す概略斜視図である。
【図２Ｂ】本発明の第１の実施の形態に関するＭｉｎｉ  ＰＣＩ−ｅカードの搭載状態を示す概略斜視図である。
【図３】（ａ）および（ｂ）は、本発明の第１の実施の形態に関する基板１５の構成を示す概略図である。
【図４Ａ】本発明の第２の実施の形態に関するＭｉｎｉ  ＰＣＩ−ｅカードの搭載状態を示す概略斜視図である。
【図４Ｂ】本発明の第２の実施の形態に関するＭｉｎｉ  ＰＣＩ−ｅカードの搭載状態を示す概略斜視図である。
【図５】（ａ）および（ｂ）は、本発明の第２の実施の形態に関する基板１５の構成を示す概略図である。
【符号の説明】
【００３９】
１…ＰＣ、２…上部筐体、２ａ…表示部、３…下部筐体、３ａ…キーボード、３ｂ…トラックパッド、３ｃ…決定スイッチ、４…ヒンジ部、１０…Ｍｉｎｉ  ＰＣＩ−ｅカード、１０Ａ…ハーフサイズＭｉｎｉ  ＰＣＩ−ｅカード、１０Ｂ…フルサイズＭｉｎｉ  ＰＣＩ−ｅカード、１０ａ…固定用孔、１０ｂ…固定用孔、１１…Ｍｉｎｉ  ＰＣＩ−ｅスロット、１２ａ…スタッド、１２ｂ…スタッド誘導器具、１２ｃ…固定用金具、１２ｄ…カード固定ネジ、１３Ａ…位置決めピン、１３Ｂ…位置決めピン、１４Ａ…ホール、１４Ｂ…ホール、１５…基板、１００…端子、１２０…貫通孔
【図１】
2009116771.tif 000003
【図２Ａ】
2009116771.tif 000004
【図２Ｂ】
2009116771.tif 000005
【図３】
2009116771.tif 000006
【図４Ａ】
2009116771.tif 000007
【図４Ｂ】
2009116771.tif 000008
【図５】
2009116771.tif 000009